(57)【特許請求の範囲】
【請求項１】
上方付勢状態で下方移動自在に配設されたステム、前記ステムの上下動に連係するピストン、内側に前記ピストンが上下摺動自在に嵌合され、かつ内容液の収容された容器本体内に配設されるシリンダ、および前記ステムの上端部に取付けられ、かつ内容液を吐出する吐出孔が形成された吐出ヘッドを備えるとともに、前記容器本体内と外部とを連通する外気導入路が形成された吐出器に装着されて用いられ、この吐出器の正立時および倒立時の双方で、前記シリンダ内の負圧時に、前記シリンダ内に内容液を供給する正倒立両用アダプタであって、
内側に前記シリンダが嵌合される本体筒部と、
前記外気導入路を通した前記容器本体内と外部との連通を開放自在に遮断する筒状の外気導入弁と、を備え、
前記本体筒部には、
前記容器本体内の底部に向けて開口し、前記吐出器の正立時に前記容器本体内の内容液が導入可能な正立時導入孔と、
前記正立時導入孔より上方に配置され、かつ前記吐出器の倒立時に前記容器本体内の内容液が導入可能な倒立時導入孔と、
前記正立時導入孔および前記倒立時導入孔と前記シリンダの下端開口部とを連通する連通路と、が形成されるとともに、
前記吐出器の正立時に、前記倒立時導入孔と前記連通路との連通を遮断し、かつ前記吐出器の倒立時に、前記倒立時導入孔と前記連通路とを連通する切替弁が配設され、
前記外気導入弁は、前記本体筒部内に嵌合され、
前記本体筒部には、その内部と前記容器本体内とを連通する連通窓が形成され、
前記外気導入弁には、前記シリンダの外周面に対して離反自在に当接し、前記連通窓と前記外気導入路との連通を開放自在に閉塞する弁部が備えられていることを特徴とする正倒立両用アダプタ。
【請求項２】
前記弁部は、前記連通窓に対向していることを特徴とする請求項１に記載の正倒立両用アダプタ。
【発明の詳細な説明】
【技術分野】
【０００１】
本発明は、正倒立両用アダプタに関する。
【背景技術】
【０００２】
従来から、内容液を吐出する吐出器に装着されて用いられ、この吐出器の正立時および倒立時の双方で、吐出器におけるシリンダ内の負圧時に、シリンダ内に内容液を供給する正倒立両用アダプタが知られている（下記特許文献１参照）。
ここで吐出器には、容器本体内の内容液をシリンダ内に供給するのに伴い、外気を容器本体内に導入する外気導入路が形成されており、この外気導入路を通して、吐出器の倒立時に容器本体内の内容液が外部に漏出するのを防ぐために、正倒立両用アダプタに、外気導入路を通した容器本体内と外部との連通を開放自在に遮断する外気導入弁が備えられている。
【先行技術文献】
【特許文献】
【０００３】
【特許文献１】特開２０１４−２１３９４３号公報
【発明の概要】
【発明が解決しようとする課題】
【０００４】
しかしながら、従来では、正倒立両用アダプタの本体筒部および外気導入弁を個別に吐出器に装着する必要があり、セット性を向上させることに改善の余地があった。
【０００５】
本発明は、前述した事情に鑑みてなされたものであって、吐出器に対するセット性を向上させた正倒立両用アダプタを提供することを目的とする。
【課題を解決するための手段】
【０００６】
前記課題を解決するために、本発明は以下の手段を提案している。
本発明に係る正倒立両用アダプタは、上方付勢状態で下方移動自在に配設されたステム、前記ステムの上下動に連係するピストン、内側に前記ピストンが上下摺動自在に嵌合され、かつ内容液の収容された容器本体内に配設されるシリンダ、および前記ステムの上端部に取付けられ、かつ内容液を吐出する吐出孔が形成された吐出ヘッドを備えるとともに、前記容器本体内と外部とを連通する外気導入路が形成された吐出器に装着されて用いられ、この吐出器の正立時および倒立時の双方で、前記シリンダ内の負圧時に、前記シリンダ内に内容液を供給する正倒立両用アダプタであって、内側に前記シリンダが嵌合される本体筒部と、前記外気導入路を通した前記容器本体内と外部との連通を開放自在に遮断する筒状の外気導入弁と、を備え、前記本体筒部には、前記容器本体内の底部に向けて開口し、前記吐出器の正立時に前記容器本体内の内容液が導入可能な正立時導入孔と、前記正立時導入孔より上方に配置され、かつ前記吐出器の倒立時に前記容器本体内の内容液が導入可能な倒立時導入孔と、前記正立時導入孔および前記倒立時導入孔と前記シリンダの下端開口部とを連通する連通路と、が形成されるとともに、前記吐出器の正立時に、前記倒立時導入孔と前記連通路との連通を遮断し、かつ前記吐出器の倒立時に、前記倒立時導入孔と前記連通路とを連通する切替弁が配設され、前記外気導入弁は、前記本体筒部内に嵌合され、前記本体筒部には、その内部と前記容器本体内とを連通する連通窓が形成され、前記外気導入弁には、前記シリンダの外周面に対して離反自在に当接し、前記連通窓と前記外気導入路との連通を開放自在に閉塞する弁部が備えられていることを特徴とする。
【０００７】
この発明に係る正倒立両用アダプタが装着された吐出器において、まず、吐出器の正立時および倒立時に、ステムおよびピストンをシリンダに対して押し込んでシリンダ内を正圧にすると、シリンダ内の内容液がステム内を上昇し吐出ヘッドの吐出孔から吐出される。
その後、ステムおよびピストンをシリンダに対して復元移動させ、シリンダ内を負圧にすると、吐出器の正立時には、切替弁が、倒立時導入孔と連通路との連通を遮断しているので、容器本体内の内容液が、正立時導入孔、および連通路を通してシリンダの下端開口部に到達してシリンダ内に流入する。
一方、吐出器の倒立時には、容器本体内の底部に開口する正立時導入孔が、容器本体内の内容液の液面から突出し、かつ倒立時導入孔と連通路とが連通するので、容器本体内の内容液が、倒立時導入孔、および連通路を通してシリンダの下端開口部に到達してシリンダ内に流入する。
ここで、吐出器の正立時および倒立時いずれの場合であっても、容器本体内の内容液がシリンダ内に流入するときには、容器本体内が負圧となり、この負圧が外気導入弁に作用して弁部がシリンダの外周面から離反することで、容器本体内と外部とが外気導入路を通して連通し、容器本体内に外気が導入される。その後、容器本体の内圧が元に戻ると、弁部がシリンダの外周面に再び当接し、外気導入弁によって、外気導入路を通した容器本体内と外部との連通が遮断される。
前記正倒立両用アダプタによれば、外気導入弁が本体筒部内に嵌合されているので、正倒立両用アダプタを吐出器に装着するに際し、本体筒部、および外気導入弁が組み付けられた正倒立両用アダプタの全体を移動させることが可能になり、優れたセット性を具備させることができる。
また、外気導入弁が本体筒部内に嵌合されているので、弁部を備える外気導入弁を、本体筒部によって保護することができる。したがって、例えば、外気導入弁が本体筒部内に嵌合された正倒立両用アダプタを複数箱詰めした状態で保管したり輸送したりするとき等に、外気導入弁が他の正倒立両用アダプタと接触し、変形したり傷ついたりすることを抑制することができる。
【０００８】
前記弁部は、前記連通窓に対向していてもよい。
【０００９】
この場合、弁部が連通窓に対向しているので、弁部がシリンダの外周面から離反して容器本体内に外気が導入されるときに、外気を、弁部とシリンダの外周面との間から連通窓を通して速やかに容器本体内に導入し易くすることができる。
【発明の効果】
【００１０】
この発明にかかる正倒立両用アダプタによれば、吐出器に対するセット性が向上する。
【図面の簡単な説明】
【００１１】
【図１】本発明の一実施形態にかかる正倒立両用アダプタ及びこれを装着した吐出器を示す軸方向断面図である。
【図２】図１の正倒立両用アダプタ及び吐出器の上半分を拡大した軸方向断面図である。
【図３】図１の正倒立両用アダプタ及び吐出器の下半分を拡大した軸方向断面図である。
【図４】図１の正倒立両用アダプタを示す側面図である。
【図５】図１の正倒立両用アダプタ及び吐出器を示す部分拡大図である。
【発明を実施するための形態】
【００１２】
以下、本発明の一実施形態にかかる正倒立両用アダプタを、図面に基づいて説明する。なお、以下の説明に用いる各図面では、各部材を認識可能な大きさとするために縮尺を適宜変更している。
【００１３】
本実施形態にかかる正倒立両用アダプタ１は、図１から図５に示すように、内容液を吐出する吐出器１００に装着されて用いられ、この吐出器１００の正立時及び倒立時の双方で、吐出器１００における後述するシリンダ１０１内の負圧時に、シリンダ１０１内に内容液を供給する構成とされている。
【００１４】
まず、吐出器１００について説明する。
図２に示すように、吐出器１００は、容器本体１０２の口部１０２ａに取り付けられる有頂円筒状の取付キャップ１０３と、上方付勢状態で下方移動自在に配設された円筒状のステム１０４と、ステム１０４の上下動に連係する二重円筒状の縦ピストン１０５と、内側に縦ピストン１０５が上下摺動自在に嵌合された円筒状のシリンダ１０１と、ステム１０４の上端部に装着され、内容液の吐出孔１０６ａが形成された吐出ヘッド１０６と、ステム１０４を押し下げるためのトリガー１０７と、を備える。
【００１５】
ここで、取付キャップ１０３、ステム１０４、縦ピストン１０５及びシリンダ１０１は、それぞれの中心軸線が共通軸上に位置する状態で配設されている。以下、この共通軸を中心軸Ｏと称し、中心軸Ｏから見た平面視で中心軸Ｏに直交する方向を径方向、中心軸Ｏ回りで周回する方向を周方向とする。さらに、径方向のうち吐出ヘッド１０６の吐出孔１０６ａが向けられる方向を前方、その逆方向を後方とし、上下方向及び前後方向に直交する方向を左右方向とする。
【００１６】
取付キャップ１０３は、中央に開口部が形成された平面視で円状の天壁部１０３ａと、天壁部１０３ａの外周縁から下方に延設された円筒状の周壁部１０３ｂと、内側が天壁部１０３ａの開口部に連通された円筒状の上筒部１０３ｃと、上筒部１０３ｃの上端から上方に連設された円筒状のガイド筒部１０３ｄと、上筒部１０３ｃ及びガイド筒部１０３ｄの後方に配設されたトリガー支持部１０３ｅと、を備える。
【００１７】
トリガー支持部１０３ｅは、上筒部１０３ｃ及びガイド筒部１０３ｄの外周面から後方に向けてそれぞれ突設され、左右方向に間隔をあけて対向配置された一対の側壁部１０３ｆと、一対の側壁部１０３ｆの後端間に形成された後壁部１０３ｇと、を備える。側壁部１０３ｆの上端の後部には、上方に向けて突出する突出部１０３ｈが形成されている。突出部１０３ｈの外側面には、左右方向に延在する円柱状の揺動軸１０３ｉが突設されている。
【００１８】
ステム１０４は、ガイド筒部１０３ｄの内側に上下移動自在に挿通されている。ステム１０４の上部は、ガイド筒部１０３ｄの上端から上方に突出しており、ステム１０４の下部は、ガイド筒部１０３ｄの下端から下方に突出しており、上筒部１０３ｃ内に配置されている。また、ステム１０４の上端部には、上端が閉塞された頭部１０４ａが形成されている。頭部１０４ａの左右両側の側面には、円柱状の被押下部１０４ｂが各別に突設されている。また、頭部１０４ａには、ステム１０４内に連通するノズル連結筒部１０４ｃが前方に向けて突設されている。
ノズル連結筒部１０４ｃは、前後方向に延在する筒状をなしており、ノズル連結筒部１０４ｃの前部は、吐出ヘッド１０６内に配設されている。
縦ピストン１０５は、ステム１０４の下端部に嵌合されており、ステム１０４の上下移動に伴ってシリンダ１０１の内周面に沿って摺動する。
【００１９】
シリンダ１０１は、有底円筒状のシリンダ本体部１０１ａと、シリンダ本体部１０１ａの上下方向の中間部から径方向外側に突設された平面視で円環状をなす板状の被支持部１０１ｂと、シリンダ本体部１０１ａの下端から下方に突設された円筒状の弁座筒部１０１ｃと、弁座筒部１０１ｃの下端から下方に突設された円筒状の接続筒部１０１ｄと、を備える。
シリンダ本体部１０１ａの上部は、取付キャップ１０３の上筒部１０３ｃ内に嵌合されており、シリンダ本体部１０１ａの下部は、取付キャップ１０３の周壁部１０３ｂの内側に配設されている。
被支持部１０１ｂの内周縁部とシリンダ本体部１０１ａの外周面との接続部分には、上下方向に貫き、シリンダ本体部１０１ａの外周側において、被支持部１０１ｂに対して上側に位置する部分と下側に位置する部分とを連通する連通孔１０１ｅが形成されている。
ここで、ステム１０４の外周面とガイド筒部１０３ｄの内周面との間の隙間、シリンダ１０１の外周面と上筒部１０３ｃの内周面との間の隙間、および連通孔１０１ｅが、容器本体１０２内と外部とを連通する外気導入路Ｒを構成している。
弁座筒部１０１ｃの下部は、内径及び外径が下方に向かうにしたがって漸次縮径するテーパ状をなしている。
【００２０】
また、シリンダ１０１内には、上下方向に延在する縦芯棒１０８と、縦コイルスプリング１０９と、球状の開閉弁１１１と、が配設されている。
縦芯棒１０８は、縦ピストン１０５内に挿通された棒状部材である。縦芯棒１０８の上部は、ステム１０４内に挿入されており、縦芯棒１０８の下部には、拡径部１０８ａが形成されている。この拡径部１０８ａの下端部には、シリンダ本体部１０１ａの底面に載置された複数の縦リブ部１０８ｂが周方向に間隔をあけて配設されている。
縦コイルスプリング１０９は、縦ピストン１０５と縦芯棒１０８の縦リブ部１０８ｂとの間に介装されている。
開閉弁１１１は、弁座筒部１０１ｃの内側に収容されており、弁座筒部１０１ｃ内のテーパ面に離着自在に配設されている。
【００２１】
吐出ヘッド１０６は、前後方向に延在するとともに、前端が閉塞された筒状のノズル筒部１０６ｂと、ノズル筒部１０６ｂ内に前後摺動自在に嵌合された横ピストン１０６ｃと、前後方向に延在し、ノズル筒部１０６ｂ内に配設された横芯棒１０６ｄと、ノズル筒部１０６ｂ内に配設された横コイルスプリング１０６ｅと、を備える。これらのノズル筒部１０６ｂ、横ピストン１０６ｃ、横芯棒１０６ｄ、および横コイルスプリング１０６ｅは、共通軸と同軸に配設されている。以下、この共通軸をノズル軸Ｏ１という。
【００２２】
ノズル筒部１０６ｂは、ノズル連結筒部１０４ｃにアンダーカット嵌合される後側部分１０６ｆと、内径が後側部分１０６ｆよりも縮径された前側部分１０６ｇと、を有し、ノズル筒部１０６ｂ内において後側部分１０６ｆと前側部分１０６ｇとの接続部分には、後方を向く段差面が形成されている。ノズル筒部１０６ｂの前側部分１０６ｇには、この段差面によって弁座１０６ｈが形成されている。また、ノズル筒部１０６ｂの前端面には、前方から見てノズル軸Ｏ１を中心とした円環状の収容溝部１０６ｉが形成されており、この収容溝部１０６ｉは、ノズル筒部１０６ｂ内に連通している。また、収容溝部１０６ｉには、前端が閉塞された円筒状の噴霧キャップ１０６ｊが取り付けられており、噴霧キャップ１０６ｊの前壁部の中央部分に、上記吐出孔１０６ａが形成されている。
【００２３】
横ピストン１０６ｃは、前後方向に延在する二重円筒状をなしており、ノズル外筒部１０６ｋと、ノズル外筒部１０６ｋの内側に配設されたノズル内筒部１０６ｎと、を有する。
ノズル外筒部１０６ｋの前端部は、ノズル筒部１０６ｂの後側部分１０６ｆの内周面に摺接しており、ノズル外筒部１０６ｋの後端部は、ノズル連結筒部１０４ｃの前部の内周面に摺接している。
ノズル内筒部１０６ｎは、ノズル外筒部１０６ｋの前後方向の中間部分から前方に向けて延在しており、ノズル内筒部１０６ｎの前端部は、ノズル筒部１０６ｂの上記弁座１０６ｈに当接している。また、ノズル内筒部１０６ｎには、ノズル内筒部１０６ｎをノズル軸Ｏ１に直交するノズル径方向に貫通する貫通孔１０６ｐが形成されている。
【００２４】
横芯棒１０６ｄは、横ピストン１０６ｃ内に挿通された棒状部材である。横芯棒１０６ｄの後部は、ノズル連結筒部１０４ｃ内に挿入されており、横芯棒１０６ｄにおける前後方向の中間部分の外周面には、複数の横リブ部１０６ｑがノズル軸Ｏ１回りに間隔をあけて複数配設されている。
横コイルスプリング１０６ｅは、前後方向に延在しており、横ピストン１０６ｃのノズル内筒部１０６ｎの後端部と横芯棒１０６ｄの横リブ部１０６ｑとの間に介装されている。
【００２５】
トリガー１０７は、揺動軸１０３ｉを介してトリガー支持部１０３ｅに取り付けられており、この揺動軸１０３ｉ回りで揺動可能に設けられている。
トリガー１０７は、ステムの頭部の上方に配設された天板部１０７ａと、天板部１０７ａの後端縁から後方に向けて斜め下方に延在する後板部１０７ｂと、天板部１０７ａの前端縁から前方に向けて斜め下方に延在する前板部１０７ｃと、天板部１０７ａの左右両側の側端縁から各別に垂下された一対の側板部１０７ｄと、を備える。
【００２６】
前板部１０７ｃの上部には、上下方向に延在する長孔部１０７ｅが形成されており、この長孔部１０７ｅには、吐出ヘッド１０６のノズル筒部１０６ｂが挿通されている。また、前板部１０７ｃの下部は、指などをかけるための指掛部分となっている。
側板部１０７ｄの内側面には、ステム１０４を押し下げるための押下部１０７ｆが設けられている。押下部１０７ｆは、ステム１０４の頭部１０４ａを左右両側から挟む一対の板状部材であり、押下部１０７ｆの下端には、ステム１０４の被押下部１０４ｂがその軸線回りに摺動可能に嵌め込まれた円弧状の押下切欠部１０７ｇが形成されている。また、側板部１０７ｄの後部には、トリガー支持部１０３ｅの揺動軸１０３ｉがその中心軸回りに摺動可能に挿通された軸孔部１０７ｈが形成されている。
なお図示の例では、トリガー支持部１０３ｅに、トリガー１０７の揺動軸１０３ｉ回りの下方に向けた回転移動を規制するストッパ１１０が配設されている。
ストッパ１１０は、トリガー支持部１０３ｅに、側板部１０７ｄの押下部１０７ｆの下端に当接若しくは近接する規制位置と、押下部１０７ｆから後方に離間する解除位置と、の間を、左右方向に延びる回転軸１１０ａ回りに回転自在に支持されている。ストッパ１１０には、一対の側板部１０７ｄを左右方向の外側から挟む一対の摘まみ片１１０ｂが突設されている。
【００２７】
続いて、正倒立両用アダプタ１について説明する。
図２から図４に示すように、正倒立両用アダプタ１は、円筒状の本体筒部１０と、吐出器１００の外気導入路Ｒを通した容器本体１０２内と外部との連通を開放自在に遮断する円筒状の外気導入弁３０と、を備える。本体筒部１０および外気導入弁３０は、中心軸Ｏと同軸に配設されている。
本体筒部１０は、シリンダ本体部１０１ａの下端部に外嵌された円筒状の外側筒部材１１と、上部が外側筒部材１１内に配設され、かつ下部が外側筒部材１１から下方に突出した内側筒部材１２と、上端部が内側筒部材１２の下端部内に嵌合された円筒状のパイプ１３と、を有する。これら外側筒部材１１、内側筒部材１２、及びパイプ１３は、中心軸Ｏと同軸に配設されている。
【００２８】
外側筒部材１１は、上端部内にシリンダ本体部１０１ａの下端部が嵌合された円筒状の外筒部１４と、外筒部１４の上下方向の中間部分に配設され、外筒部１４の内部を上下に仕切る仕切壁部１５と、仕切壁部１５から上方に延設されシリンダ１０１の接続筒部１０１ｄが連結される円筒状の取付筒部１６と、仕切壁部１５から下方に延設され内側筒部材の上端部が連結される円筒状の下筒部１７と、を有する。
外筒部１４のうち仕切壁部１５よりも上側の部分における内径及び外径は、仕切壁部１５よりも下側の部分における内径及び外径よりも大径となっている。外筒部１４の前記上側の部分は、下方から上側に向かうに従い段状に拡径しており、図示の例では、仕切壁部１５から上側に向けて延びる小径部１４ａと、小径部１４ａよりも大径とされ小径部１４ａの上方に位置する大径部１４ｂと、小径部１４ａと大径部１４ｂとを連結する段部１４ｃと、を備えている。大径部１４ｂの上端部には、平面視で円環状のフランジ部１４ｄが径方向外側に向けて突設されている。フランジ部１４ｄの外径は、被支持部１０１ｂの外径と同等であり、フランジ部１４ｄの内径は、被支持部１０１ｂの内径よりも大きい。フランジ部１４ｄの上面は、連通孔１０１ｅを開放した状態で被支持部１０１ｂの下面に当接する。被支持部１０１ｂの下面には、平面視でリング状のパッキン５０が配設される。パッキン５０は、口部１０２ａの上端開口縁上に配置される。
【００２９】
ここで本体筒部１０には、その内部と容器本体１０２内とを連通する連通窓１０ａが形成されている。連通窓１０ａは、周方向に間隔をあけて複数形成されている。連通窓１０ａは、大径部１４ｂの下端部から段部１４ｃに至るように配置されている。
大径部１４ｂには、平面視で円環状の取付突部１８が径方向内側に向けて突設されている。取付突部１８は、大径部１４ｂにおいて連通窓１０ａに上側から連なる部分に配置されている。取付突部１８は、周方向に間隔をあけて配置されている。取付突部１８は、周方向に沿って連通窓１０ａに対応する部分に配置されている。
【００３０】
仕切壁部１５には、上下方向に貫く通液孔１９が形成されている。
取付筒部１６は、シリンダ１０１の接続筒部１０１ｄに外嵌されている。また、取付筒部１６には、取付筒部１６の上下方向の全長にわたって延在すると共に通液孔１９に連通する切欠部２０が形成されている。
下筒部１７の上端部における外周面のうち、一部が、外筒部１４の内周面に接続され、他の部分と、外筒部１４の内周面と、の間には径方向の隙間が設けられている。そして、外側筒部材１１には、下筒部１７の上端部における前記一部、及び外筒部１４を一体に径方向に貫く倒立時導入孔２１が形成されている。倒立時導入孔２１は、吐出器１００の倒立時に容器本体１０２内の内容液が導入可能である。
【００３１】
図３に示されるように、内側筒部材１２は、上端部が下筒部１７に連結された円筒状の上側筒部２２と、上側筒部２２よりも下方に配設され、かつ下部が外側筒部材１１から下方に突出した円筒状の下側筒部２３と、上側筒部２２と下側筒部２３とを結合する円筒状の結合筒部２４と、を有する。
上側筒部２２の上端部は、下筒部１７に外嵌されている。そして、上側筒部２２の外周面と外筒部１４の内周面との間には、内容液を流通させる第１流路ｒ１が形成されている。この第１流路ｒ１は、通液孔１９に連通している。
上側筒部２２の下端部は、内径及び外径が下方に向かうにしたがって漸次縮径するテーパ状をなしており、上側筒部２２の内側には、球状の切替弁２５が配設されている。
結合筒部２４の外周面と、外筒部１４の内周面と、の間には、内容液を流通させる第２流路ｒ２が形成されている。この第２流路ｒ２は、第１流路ｒ１に連通している。結合筒部２４には、その内部と第２流路ｒ２とを連通する連絡孔２６が形成されている。連絡孔２６は、結合筒部２４に周方向に間隔をあけて複数形成されている。
ここで連絡孔２６、第２流路ｒ２、第１流路ｒ１および通液孔１９は、後述する正立時導入孔２９および前記倒立時導入孔２１と、シリンダ１０１の下端開口部と、を連通する連通路ｒを構成している。
【００３２】
下側筒部２３は、外側筒部材１１の下端部内に嵌合されている。また、下側筒部２３の上端部は、内径及び外径が上方に向かうにしたがって漸次縮径するテーパ状をなしており、下側筒部２３の内側には、球状の下弁体２７が配設されている。
下側筒部２３の内周面には、径方向内側に向けて突出し、上下方向に延在する複数の第２縦リブ部２８が周方向に間隔をあけて形成されている。第２縦リブ部２８の下端部は、径方向内側に向けて突出しており、下弁体２７が第２縦リブ部２８の下端部よりも下方に移動することを規制する。
【００３３】
パイプ１３の上端部は、下側筒部２３の下端部内に嵌合されており、パイプ１３の下端開口部は、容器本体１０２内の底部に向けて開口する正立時導入孔２９を形成する。正立時導入孔２９は、吐出器１００の正立時に容器本体１０２内の内容液が導入可能である。正立時導入孔２９は、倒立時導入孔２１より下方に配置されている。
【００３４】
図２および図５に示すように、外気導入弁３０は、本体筒部１０内に嵌合されている。外気導入弁３０は、円筒状の弁本体筒部３１と、弁本体筒部３１の下端部に連設された平面視で円環状の弁部３２と、を有する。
弁本体筒部３１は、大径部１４ｂ内に嵌合されている。弁本体筒部３１の上端開口縁は、大径部１４ｂの上端開口縁と上下方向に同等の位置に配置されている。弁本体筒部３１の下端開口縁は、上下方向に沿って、連通窓１０ａの上端縁と下端縁との間に配置されている。弁本体筒部３１の下端部における内周面には、径方向の内側に向けて突出する突部３３が設けられている。突部３３は、周方向の全周にわたって形成されている。突部３３の下端部には、下方に向かうに従い漸次、拡径する拡径面３３ａが形成されている。弁本体筒部３１の内周面とシリンダ１０１の外周面との間には、外気導入路Ｒに連通する連通隙間ｇが設けられている。連通隙間ｇには、連通孔１０１ｅが開口している。連通隙間ｇは、外気導入路Ｒと連通窓１０ａとを連通可能とされている。弁本体筒部３１の下端部における外周面には、径方向内側に向けて窪み、取付突部１８に取り付けられる取付溝部３４が全周にわたって形成されている。取付溝部３４は、上下方向に沿って、突部３３の上端縁と下端縁との間に配置されている。取付溝部３４の下端縁は、上下方向に沿って、拡径面３３ａの上端縁と下端縁との間に配置されている。
弁部３２は、下方に向かうにしたがって径方向内側に向けて延在するように傾斜している。また、弁部３２は、径方向に弾性変形可能となっており、シリンダ１０１の外周面に対して径方向外側に向けて離反自在に当接している。弁部３２は、連通窓１０ａと外気導入路Ｒとの連通を開放自在に閉塞する。弁部３２は、連通隙間ｇを開放自在に閉塞する。弁部３２の下端開口縁は、段部１４ｃの上面よりも上側に位置している。
【００３５】
次に、前記正倒立両用アダプタ１の作用について説明する。
【００３６】
前記正倒立両用アダプタ１が装着された吐出器１００において、まず、吐出器１００の正立時および倒立時に、摘まみ片１１０ｂを把持してストッパ１１０を回転軸１１０ａ回りに、規制位置から解除位置に向けて回転させ、ストッパ１１０によるトリガー１０７の移動の規制を解除する。そして、トリガー１０７を把持して揺動軸１０３ｉ回りに揺動させ、開閉弁１１１によって弁座筒部１０１ｃ内を閉塞した状態で、ステム１０４および縦ピストン１０５をシリンダ１０１に対して押し込んで、シリンダ１０１内を正圧にする。すると、シリンダ１０１内の内容液がステム１０４内を上昇してノズル連結筒部１０４ｃ内に導入され、横ピストン１０６ｃが弁座１０６ｈから離反して内容液が吐出ヘッド１０６の吐出孔１０６ａから吐出される。
【００３７】
その後、トリガー１０７の把持を解除すると、ステム１０４および縦ピストン１０５が、縦コイルスプリング１０９からの付勢力に基づいてシリンダ１０１に対して復元移動する。このとき、シリンダ１０１内が負圧になり、この負圧が、開閉弁１１１に作用して弁座筒部１０１ｃ内を開放し、切替弁２５および下弁体２７それぞれに連通路ｒを通して作用する。すると、吐出器１００の正立時には、切替弁２５が倒立時導入孔２１と連通路ｒとの連通を遮断した状態が維持されるとともに、下弁体２７が第２縦リブ部２８の下端部から離反する。その結果、容器本体１０２内の内容液が、正立時導入孔２９、本体筒部１０内および連通路ｒを通してシリンダ１０１の下端開口部に到達してシリンダ１０１内に流入する。
【００３８】
一方、吐出器１００の倒立時には、容器本体１０２内の底部に開口する正立時導入孔２９が、容器本体１０２内の内容液の液面から突出している。しかも、倒立時導入孔２１が、容器本体１０２内の内容液内に位置した状態で、切替弁２５がその自重に基づいて上側筒部２２の内側から離反しており、倒立時導入孔２１と連通路ｒとが本体筒部１０内を通して連通している。したがって、シリンダ１０１内で負圧が発生することで、容器本体１０２内の内容液が、倒立時導入孔２１、本体筒部１０内および連通路ｒを通してシリンダ１０１の下端開口部に到達してシリンダ１０１内に流入する。
【００３９】
ここで、吐出器１００の正立時および倒立時いずれの場合であっても、容器本体１０２内の内容液がシリンダ１０１内に流入するときには、容器本体１０２内が負圧となり、この負圧が外気導入弁３０に連通窓１０ａを通して作用して弁部３２がシリンダ１０１の外周面から離反することで、容器本体１０２内と外部とが連通隙間ｇおよび外気導入路Ｒを通して連通し、容器本体１０２内に外気が導入される。その後、容器本体１０２の内圧が元に戻ると、弁部３２が復元変形してシリンダ１０１の外周面に再び当接し、外気導入弁３０によって、外気導入路Ｒを通した容器本体１０２内と外部との連通が遮断される。
なお本実施形態では、弁部３２が連通窓１０ａに対向しているので、弁部３２がシリンダ１０１の外周面から離反して容器本体１０２内に外気が導入されるときに、外気を、弁部３２とシリンダ１０１の外周面との間から連通窓１０ａを通して速やかに容器本体１０２内に導入し易くすることができる。
【００４０】
以上説明したように、本実施形態に係る正倒立両用アダプタ１によれば、外気導入弁３０が本体筒部１０内に嵌合されているので、正倒立両用アダプタ１を吐出器１００に装着するに際し、本体筒部１０、および外気導入弁３０が組み付けられた正倒立両用アダプタ１の全体を移動させることが可能になり、優れたセット性を具備させることができる。
【００４１】
また、外気導入弁３０が本体筒部１０内に嵌合されているので、弁部３２を備える外気導入弁３０を、本体筒部１０によって保護することができる。したがって、例えば、外気導入弁３０が本体筒部１０内に嵌合された正倒立両用アダプタ１を複数箱詰めした状態で保管したり輸送したりするとき等に、外気導入弁３０が他の正倒立両用アダプタ１と接触し、変形したり傷ついたりすることを抑制することができる。
【００４２】
なお、本発明の技術的範囲は前記実施形態に限定されるものではなく、本発明の趣旨を逸脱しない範囲において種々の変更を加えることが可能である。
【００４３】
例えば、下弁体２７やパッキン５０がなくてもよい。
前記実施形態では、本体筒部１０が、外側筒部材１１、内側筒部材１２およびパイプ１３を備えており、本体筒部１０が複数の部材で形成されているが、本発明はこれに限られない。例えば、本体筒部１０が１つの部材で一体に形成されていてもよい。
弁部３２が連通窓１０ａに対向していなくてもよい。
【００４４】
前記実施形態では、本体筒部１０の内周面に取付突部１８が形成され、弁本体筒部３１の外周面に取付溝部３４が形成されているが、本発明はこれに限られない。例えば、本体筒部１０の内周面に取付溝部３４を形成し、弁本体筒部３１の外周面に取付突部１８を形成してもよい。
【００４５】
また、本発明に係る正倒立両用アダプタ１が適用可能な吐出器１００は、前記実施形態に示した構成に限られない。
例えば、ストッパ１１０がなくてもよい。
また、前記実施形態では、トリガー１０７を操作することで吐出ヘッド１０６やステム１０４をシリンダ１０１に対して押し込む構成であるが、トリガー１０７を有さずに、吐出ヘッド１０６やステム１０４を直接、操作する構成であってもよい。
また、吐出ヘッド１０６は、前記実施形態に示した構成に限られず、例えば、横ピストン１０６ｃや横芯棒１０６ｄ、横コイルスプリング１０６ｅがなくてもよい。
また、前記実施形態では、外気導入路Ｒが、ステム１０４の外周面とガイド筒部１０３ｄの内周面との間の隙間、シリンダ１０１の外周面と上筒部１０３ｃの内周面との間の隙間、および連通孔１０１ｅによって構成されているが、これに代えて、取付キャップ１０３に貫通孔を形成してこの貫通孔によって外気導入路Ｒを構成するなど、外気導入路Ｒの形態を適宜変更してもよい。
【００４６】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４７】
１     正倒立両用アダプタ
１０   本体筒部
１０ａ 連通窓
２１   倒立時導入孔
２５   切替弁
２９   正立時導入孔
３０   外気導入弁
３２   弁部
１００ 吐出器
１０１ シリンダ
１０２ 容器本体
１０４ ステム
１０５ 縦ピストン（ピストン）
１０６ 吐出ヘッド
１０６ａ       吐出孔
ｒ     連通路
Ｒ     外気導入路
【図１】
0006482436.tif 000002
【図２】
0006482436.tif 000003
【図３】
0006482436.tif 000004
【図４】
0006482436.tif 000005
【図５】
0006482436.tif 000006